(57)【要約】 【課題】本発明は、使用時には堅固な箱状となり、未使用のときに折り畳みができる容器を提供する。【解決手段】箱の各隅部と各稜部を曲折可能に結合し、稜部と稜部の間に囲い体を取り付けて側面を形成するものであり、縦稜部と縦稜部の結合部において開閉可能な開放部１２が設けてある。【選択図】  図１
2012126417.tif 000002
【特許請求の範囲】
【請求項１】
箱の各稜部を曲折可能に結合し、稜部と稜部の間に囲い体を取り付けて側面を形成する自立開口容器であって、
縦稜部と縦稜部の結合部において開閉可能な開放部を設け、
前記自立開口容器内に内装の内装袋を、前記結合部を開放させて取り出し可能とすることを特徴とする折り畳み可能な自立開口容器。
【請求項２】
請求項１の折り畳み可能な自立開口容器であって、
前記縦稜部に隣接して装脱可能に骨材を取り付けることを特徴とする折り畳み可能な自立開口容器。
【請求項３】
請求項１又は請求項２の折り畳み可能な自立開口容器であって、
骨材は相対する側面に取り付けることを特徴とする折り畳み可能な自立開口容器。
【請求項４】
請求項１から請求項３のいずれか１項の折り畳み可能な自立開口容器であって、
折り畳んだとき折り目がつかない側面の隅部と隅部の対角に、又は折り目が生ずる隅部と隅部の対角の、少なくともいずれか一方に補強材を取り付けることを特徴とする折り畳み可能な自立開口容器。
【発明の詳細な説明】
【技術分野】
【０００１】
本発明は、使用時には箱状となり、未使用のときに折り畳みができる容器に関する。
【背景技術】
【０００２】
従来の物品等の収納容器として、未使用状態では折り畳まれた状態であり、使用時には組み立てることによって箱状となる折り畳み可能な容器として、特開平８−５３１２９号（特許第２９６８１９３号）公報に開示してある。
【０００３】
【特許文献１】特開平８−５３１２９号公報
【発明の開示】
【発明が解決しようとする課題】
【０００４】
前記開示の折り畳み可能な自立開口容器は、使用時において、箱状に立設して、その自立開口容器内に内装袋を内装した後に、その内装袋に廃棄容器を投入して収集をする。そして、その内装袋を自立開口容器から取り出すに当って、自立開口容器が拡開できないので、その取出しが困難であるという課題があるし、この折り畳み可能な容器を堅固に自立開口維持することは困難である。
そこで、本発明は、かかる不都合を解消する容器を提供するものである。
【課題を解決するための手段】
【０００５】
請求項１の折り畳み可能で自立開口する容器は、箱の各隅部と各稜部を曲折可能に結合し、稜部と稜部の間に囲い体を取り付けて側面を形成するものであり、縦稜部と縦稜部の結合部において開閉可能な開放部が設けてある。そして、前記自立開口容器内に内装の内装袋に廃棄物等を投入後に、その内装袋を取り出すに当たって、前記開放部を開放させることによって、容易に取り出すことができる。
また、請求項２の畳み可能で自立開口する容器は、請求項１の折り畳み可能で自立開口する容器であって、前記縦稜部に隣接して装脱可能に骨材を取り付けてある。
又、請求項３の折り畳み可能で自立開口する容器は、請求項１又は請求項２の折り畳み可能で自立開口する容器であって、骨材を相対する側面に取り付けてある。
又、請求項４の折り畳み可能で自立開口する容器は、請求項１から請求項３のいずれか１項の折り畳み可能で自立開口する容器であって、折り畳んだとき折り目がつかない側面の隅部と隅部の対角に補強材を取り付けか、又は折り目が生ずる隅部と隅部の対角に補強材を取り付けるか、或いは、前記した双方の面の隅部と隅部の対角に補強材を取り付けることによって自立開口する容器が堅固になる。
【発明の効果】
【０００６】
本願の請求項１の折り畳み可能で自立開口する容器は、開放部を設けて開くことによって、内装袋を容易に自立開口の容器から取り出すことができる。
又、請求項２の折り畳み可能で自立開口する容器は、縦稜部に隣接して装脱可能に骨材を取り付けることによって、自立開口を堅固にすることができる。
また、請求項３の折り畳み可能で自立開口する容器は、骨材を相対する側面に取り付けることによって、自立開口を堅固にすることができる。
又、請求項４の折り畳み可能で自立開口する容器は、補強材によって、自立開口を堅固にすることができる。
【図面の簡単な説明】
【０００７】
【図１】自立開口した状態の容器の全体図である。
【図２】骨材の取り付けの詳細図である。
【図３】容器の折り畳む工程を示す図である。
【図４】容器に内装袋を内装した状態図である。
【図５】容器に内装の内装袋を落下させるときの状態図である。
【図６】容器の側面に補強材を取り付ける図である。
【発明を実施するための形態】
【０００８】
本発明の実施の形態を図面を参照して説明すると、図１は自立開口した状態の容器の全体図である。
本願の折り畳み容器は、自立開口可能であり、上面Ａと底面Ｂが開口(４角形)の箱状であり、縦稜部２ａと縦稜部２ｂの間の正面Ｃ、縦稜部２ｃと縦稜部２ｄの間の裏面Ｄ、縦稜部２ｂと縦稜部２ｃの間の右側面Ｅ及び縦稜部２ｄと縦稜部２ａの間の左側面Ｆには、折り畳み可能であるワリフや柔軟なポリプロピレン等の合成樹脂シート、布、ネット（網）等の囲い体が取り付けてある。従って、この容器１の各隅部と縦稜部（２ａ〜２ｄ）、及び各面においても、曲折可能である。
【０００９】
尚、縦稜部２ａの下側における約１/３の長さに渡って、図５に示すように開閉可能な開閉部１２が形成してある。具体的には、この開閉部１２は縦稜部２ａに長方形の合成樹脂や布等の下地材１０を結合させて、その上に、例えば、マジックテープ（登録商標）を取り付ける。一方、そのマジックテープ（登録商標）に対応する位置における、縦稜部２ａと縦稜部２ｂの間に形成の正面Ｃの囲い体の裏面に、長方形の合成樹脂や布等の上地材１１を結合させて、その表面にマジックテープ（登録商標）を貼着する。
このように構成すると、前記下地材１０と上地材１１を装着させると、正面Ｃの囲い体は縦稜部２ａで結合して、元の大きさの容器を形成し、一方、下地材１０と上地材１１を離脱させると、正面Ｃの囲い体は開放されるので、開口状の底面Ｂの大きさは、元の状態より拡開された状態になるので、内装袋２０を容易に取り出すことができる。
尚、前記開閉部１２は、縦稜部２ａの下側における約１/３の長さで形成してあるが、容器１を固定して内装袋２０を抜くのか、内装袋２０を固定して容器１を抜くのかによって、開閉部１２の形成個所（縦稜部２ａの下側か、上側か、又は双方の個所か）及び長さは適宜選定でき、更には、開閉部１２を縦稜部２ａの全体に形成してもよい。また、前記マジックテープ（登録商標）に替えて、粘着材を貼着したり、ホック、或いはファスナー等で形成してもよい。
【００１０】
次に、前記容器を折り畳み、又は自立開口するために、容器１の内側に設けてある骨材１５について、図２を参照して説明する。
この骨材１５は、湾曲可能な合成樹脂製、金属製等の棒体である。
又、前記縦稜部２ｃの左隣の裏面Ｄの囲い体の上部の稜部２ｅから下に向けて、合成樹脂製の長方形の上シート１６が、前記２本の骨材１５を挿通可能な隙間を形成して縫合等によって結合してある。
また、前記裏面Ｄの囲い体のほぼ中央にも、合成樹脂製の長方形の中シート１７が、前記骨材１５を挿通可能な隙間を形成して縫合等によって結合してある。更に、前記裏面Ｄの囲い体の下部の稜部２ｆから上に向けて、合成樹脂製の長方形の下シート１８が、前記骨材１５を挿通可能な隙間を形成して縫合等によって結合してある。
そして、前記上シート１６、中シート１７及び下シート１８に形成の隙間の間に、前記骨材１５を挿通する。
【００１１】
又、前記と同様に、前記縦稜部２ｄの右隣の裏面Ｄの囲い体に、また、前記縦稜部２ａの左隣の正面Ｃの囲い体には前記下地材１０の裏面側に、更に、前記縦稜部２ｂの右隣の正面Ｃの囲い体には、それぞれの上シート１６、中シート１７及び下シート１８が取り付けられてあり、それらのシートに形成の隙間の間に、前記骨材１５が上稜部２ｅ、２ｇから下稜部２ｆ、２ｈに渡って挿通してある。即ち、骨材１５は、相対する正面Ｃと裏面Ｄに取り付けてある。
【００１２】
前記のように骨材１５が、上シート１６、中シート１７及び下シート１８に形成の隙間の間に挿通してあるので、容易に、骨材１５の交換ができる。尚、その取り付ける骨材１５の本数、骨材の口径、材質等は、容器の強度等を考慮して適宜選定する。また、骨材１５は棒状である必要はなく、板状であってもよい。
又、骨材１５は上稜部２ｅ、２ｇから下稜部２ｆ、２ｈに渡って挿通してあるので、容器を自立開口したとき、特に、上稜部が垂れることなく、上面Ａの開口が型崩れすることなく自立開口することができる。又、前記各シートの端部が各縦稜部の位置から取り付けるため、骨材１５は各縦稜部から僅かに離れた位置になり、この各縦稜部から離脱した状態における骨材１５によって、容器を自立開口したとき堅固となる。
【００１３】
次に、容器１の折り畳みの過程について説明する。
この箱状の容器１は図３（Ａ）に示すように、各縦稜部２ａ〜２ｄは曲折可能に形成してあるので、図３（Ｂ）に示すように、正面Ｃと左側面Ｆを平坦にして右側面Ｅと裏面Ｄを合わせる。そして、縦稜部ａと縦稜部ｃで折ることによって、１つの平面の大きさに折り畳むことができる（図３（Ｃ））。この状態は未使用状態であり、搬送において嵩ばらない利点がある。
この折り畳んだ状態において、前記と逆の操作をすると、骨材１５によって自立開口した容器となり、廃棄容器等を投入することができる。
尚、この容器の折り畳み方であると、正面Ｃ、右側面Ｅ、裏面Ｄ及び左側面Ｆの対角の隅部と隅部に補強材を取り付けることができ、より、堅固に自立開口した容器となる。
【００１４】
尚、この容器１は底部Ｂがないので、図４に示すように、内装袋２０を装着した後に、廃棄容器２１を投入する。そして、この容器１から、内装袋２０を取り出すに当っては、図５に示すように、前記縦稜部の下側に形成の開閉部１２を開放することによって、正面Ｃの囲い体は開放される。その結果、底部Ｂの大きさは、元の状態より拡開された状態になるので、内装袋２０を容易に下に落とすことができる。
或いは、内装袋２０を吊り上げた状態で、前記縦稜部の上側に形成の開閉部１２を開放することによって、正面Ｃの囲い体は開放され、容器１を降下させて、内装袋２０を取り出すこともできる。
【００１５】
又、開閉部１２を備える本願の容器１は、各隅部等で曲折可能に形成してあるので、前記図３に示す折り畳み方の他に、特許第２９６８１９３号公報に記載のように、隅部ａと隅部ｃとを結ぶ対角線を内側に折り畳むと同時に９０°ひねりながら隅部ｂと隅部ｅ、隅部ｄと隅部ｇとを結ぶ対角線を内側に折り畳むこともできる。そして、この折り畳んだ状態の容器１において、図６（Ｂ）に示すように、折り目が生じない右側面Ｅの隅部ｃと隅部ｆ、左側面Ｆの対角の隅部ａと隅部ｈに補強材３０を取り付けることによって、より、堅固に自立開口できる容器を形成することができるし、更に、図６（Ｃ）に示すように、折り目に沿って、即ち、隅部ｂと隅部ｅ、隅部ｄと隅部ｇの対角線に補強材３０を設けてもよい。
前記したように、容器１に開閉部１２を備えることによって、容易に内装袋２０を容器から取り出すことができるし、折り目に沿って、或いは折り目を作成しない面の隅部と隅部の対角において、更にはそれらの双方の対角において、補強材３０を取り付けることによって、より堅固に、容器を自立開口することができるが、開閉部１２を備えるか否か、補強材３０を取り付けるか否か、また、開閉部１２を備えることと補強材３０を取り付けるにあたって、どのように形成するかは、容器の使用状態等を考慮して適宜選定する。
【符号の説明】
【００１６】
１     容器
２ａ〜２ｄ  稜部
２ｅ  上稜部
２ｆ  下稜部
１０  下地材
１１  上地材
１２  開閉部
１５  骨材
２０  内装袋
２１  廃棄容器
３０  補強材
Ａ  上面
Ｂ  底部
Ｃ  正面
Ｄ  裏面
Ｅ  右側面
Ｆ  左側面
【図１】
2012126417.tif 000003
【図２】
2012126417.tif 000004
【図３】
2012126417.tif 000005
【図４】
2012126417.tif 000006
【図５】
2012126417.tif 000007
【図６】
2012126417.tif 000008